(57)【要約】【課題】一つの睡眠区間の間、複数の周期的レンジング動作を行える無線接続システムにおける睡眠モード移動局の周期的レンジング方法を提供すること。【解決手段】無線接続システムで基地局と睡眠モード移動局との間のレンジング過程を行う方法において、基地局は、睡眠時間区間及び移動局がレンジング過程を行うための期間の間に発生する周期的レンジング時間に対する最初通知を移動局に提供し、最初通知を含む第１メッセージは、移動局がダウンリンクデータを受信するために睡眠モードを終結するかどうかを指示し、基地局は、移動局に睡眠時間区間の間に発生する周期的なレンジング時間に対する後続通知を提供し、後続通知を指示した第２メッセージは、レンジング過程の一部として、移動局が睡眠時間区間の間に複数のレンジング過程を行うように移動局に伝送されることを特徴とする基地局と睡眠モード移動局との間のレンジング遂行方法を構成する。【選択図】図８
2008509624.tif 000002
【特許請求の範囲】
【請求項１】
無線接続システムで基地局と睡眠モード移動局との間のレンジング過程を行う方法において、
前記基地局は、睡眠時間区間及び前記移動局が前記レンジング過程を行うための期間の間に発生する周期的レンジング時間に対する最初通知を前記移動局に提供し、前記最初通知を含む前記第１メッセージは、前記移動局がダウンリンクデータを受信するために睡眠モードを終結するかどうかを指示し、
前記基地局は、前記移動局に前記睡眠時間区間の間に発生する周期的なレンジング時間に対する後続通知を提供し、前記後続通知を指示した前記第２メッセージは、前記レンジング過程の一部として、前記移動局が前記睡眠時間区間の間に複数のレンジング過程を行うように前記移動局に伝送されることを特徴とする基地局と睡眠モード移動局との間のレンジング遂行方法。
【請求項２】
前記第１メッセージは、トラフィック指示メッセージであり、前記第２メッセージは、レンジング応答メッセージであることを特徴とする請求項１に記載の基地局と睡眠モード移動局との間のレンジング遂行方法。
【請求項３】
前記第２メッセージに含まれた周期的レンジング時間に対する前記後続通知は、ＴＬＶ（Ｔｙｐｅ  Ｌｅｎｇｔｈ  Ｖａｌｕｅ）形態を含むことを特徴とする請求項１に記載の基地局と睡眠モード移動局との間のレンジング遂行方法。
【請求項４】
前記第１メッセージの周期的レンジング時間の前記最初通知は、ＴＬＶ形態を含むことを特徴とする請求項１に記載の基地局と睡眠モード移動局との間のレンジング遂行方法。
【請求項５】
前記第２メッセージは、前記移動局がダウンリンクデータを受信するために睡眠モードを終結するかどうかに対する指示を含むことを特徴とする請求項１に記載の基地局と睡眠モード移動局との間のレンジング遂行方法。
【請求項６】
前記移動局がダウンリンクデータを受信するために睡眠モードを終結するかどうかに対する指示は、ＴＬＶ形態を含むことを特徴とする請求項５に記載の基地局と睡眠モード移動局との間のレンジング遂行方法。
【請求項７】
無線接続システムで基地局と睡眠モード移動局との間のレンジング過程を行うための方法において、前記方法は、
前記移動局で、前記移動局が睡眠モードを維持する間に睡眠時間区間を設定する段階と;
前記基地局で、前記移動局がダウンリンクデータを受信するために睡眠モードを終結するかどうかを指示し、前記移動局が前記レンジング過程を行う間、最初周期的レンジング時間を指示する第１メッセージを既に設定された聴取時間に前記移動局に伝送する段階と;
前記移動局で、前記指示された最初周期的レンジング時間に前記レンジング過程を行う段階と；
前記基地局で、前記レンジング過程を行うのに必要な情報を含み、後続の周期的レンジング時間が前記睡眠時間区間の間に発生するように決定された場合、前記後続の周期的レンジング時間をさらに指示する第２メッセージを、前記レンジング過程を行う前記移動局に応答して前記移動局に伝送する段階と；を含むことを特徴とする基地局と睡眠モード移動局との間のレンジング遂行方法。
【請求項８】
前記第１メッセージは、トラフィック指示メッセージであり、前記第２メッセージは、レンジング応答メッセージであることを特徴とする請求項７に記載の基地局と睡眠モード移動局との間のレンジング遂行方法。
【請求項９】
前記第２メッセージで指示された前記後続の周期的レンジング時間は、ＴＬＶ形態を含むことを特徴とする請求項７に記載の基地局と睡眠モード移動局との間のレンジング遂行方法。
【請求項１０】
前記第１メッセージにおける前記周期的レンジング時間の初期通知は、ＴＬＶ形態を含むことを特徴とする請求項７に記載の基地局と睡眠モード移動局との間のレンジング遂行方法。
【請求項１１】
前記第２メッセージは、前記移動局がダウンリンクデータを受信するために睡眠モードを終結するかどうかに対する指示をさらに含むことを特徴とする請求項７に記載の基地局と睡眠モード移動局との間のレンジング遂行方法。
【請求項１２】
前記移動局がダウンリンクデータを受信するために睡眠モードを終結するかどうかに対する前記指示は、ＴＬＶを形態を含むことを特徴とする請求項１１に記載の基地局と睡眠モード移動局との間のレンジング遂行方法。
【請求項１３】
無線接続システムで基地局と睡眠モード移動局との間のレンジング過程を行うための方法において、前記方法は、
前記移動局がダウンリンクデータを受信するために睡眠モードを終結するかどうかを指示し、前記移動局が前記レンジング過程を行う間、最初周期的レンジング時間を指示する第１メッセージを、睡眠時間区間の間の既に設定された聴取時間に前記移動局に伝送する段階と;
前記レンジング過程を行う前記移動局に対して、前記睡眠時間区間の間に後続の周期的レンジング時間が発生するかどうかを決定する段階と;
前記レンジング過程を行うために必要な情報を含み、前記後続の周期的レンジング時間が前記睡眠時間区間の間に発生するように決定された場合、前記後続の周期的レンジング時間をさらに指示する第２メッセージを、前記移動局に伝送する段階と;を含むことを特徴とする基地局と睡眠モード移動局との間のレンジング遂行方法。
【請求項１４】
前記第１メッセージは、トラフィック指示子メッセージであり、前記第２メッセージは、レンジング応答メッセージであることを特徴とする請求項１３に記載の基地局と睡眠モード移動局との間のレンジング遂行方法。
【請求項１５】
前記第２メッセージで指示された前記後続の周期的レンジング時間は、ＴＬＶ形態を含むことを特徴とする請求項１３に記載の基地局と睡眠モード移動局との間のレンジング遂行方法。
【請求項１６】
前記第２メッセージは、前記移動局がダウンリンクデータを受信するために睡眠モードを終結するかどうかに対する指示をさらに含むことを特徴とする請求項１３に記載の基地局と睡眠モード移動局との間のレンジング遂行方法。
【請求項１７】
前記第１メッセージにおける周期的レンジング時間の前記最初通知は、ＴＬＶ形態を含むことを特徴とする請求項１３に記載の基地局と睡眠モード移動局との間のレンジング遂行方法。
【請求項１８】
前記移動局がダウンリンクデータを受信するために睡眠モードを終結するかどうかに対する前記指示は、ＴＬＶ形態を含むことを特徴とする請求項１６に記載の基地局と睡眠モード移動局との間のレンジング遂行方法。
【請求項１９】
無線通信システムで基地局と睡眠モードの移動局との間のレンジング過程を行うための方法において、前記方法は、
睡眠時間区間の間に睡眠モードを設定して維持する段階と、
ダウンリンクデータを受信するために睡眠モードを終結するかどうかに対して指示し、最初周期的レンジング時間を指示する第１メッセージを既に設定された聴取時間に受信する段階と、
前記レンジング過程を前記指示された最初周期的レンジング時間に行う段階と、
前記レンジング過程を行うのに必要な情報を含み、後続の周期的レンジング時間を指示する第２メッセージを受信する段階と、
前記後続の周期的レンジング時間に前記レンジング過程を行う段階と、を含むことを特徴とする基地局と睡眠モード移動局との間のレンジング遂行方法。
【請求項２０】
前記第１メッセージは、トラフィック指示子メッセージであり、前記第２メッセージは、レンジング応答メッセージであることを特徴とする請求項１９に記載の基地局と睡眠モード移動局との間のレンジング遂行方法。
【請求項２１】
前記第２メッセージで指示された前記後続の周期的レンジング時間は、ＴＬＶ形態を含むことを特徴とする請求項１９に記載の基地局と睡眠モード移動局との間のレンジング遂行方法。
【請求項２２】
前記第１メッセージにおける周期的レンジング時間の前記最初通知は、ＴＬＶ形態を含み、前記第１メッセージにおける周期的レンジング時間の前記最初通知は、ＴＬＶ形態を含むことを特徴とする請求項１９に記載の基地局と睡眠モード移動局との間のレンジング遂行方法。
【請求項２３】
前記第２メッセージは、ダウンリンクデータを受信するために睡眠モードを終結するかどうかに対する指示をさらに含むことを特徴とする請求項１９に記載の基地局と睡眠モード移動局との間のレンジング遂行方法。
【請求項２４】
前記ダウンリンクデータを受信するために睡眠モードを終結するかどうかに対する指示は、ＴＬＶ形態を含むことを特徴とする請求項２３に記載の基地局と睡眠モード移動局との間のレンジング遂行方法。
【請求項２５】
無線接続システムで基地局と睡眠モード移動局との間のレンジング過程を行う方法において、
前記基地局は、睡眠時間区間及び前記移動局が前記レンジング過程を行うための期間の間に発生した周期的レンジング時間に対する最初通知を前記移動局に提供し、前記最初通知を含む第１メッセージは、前記移動局が睡眠モードを開始するかどうかを指示し、
前記基地局は、前記移動局に前記睡眠時間区間の間に発生する周期的レンジング時間に対する後続通知を提供し、前記後続通知を指示した前記第２メッセージは、前記レンジング過程の一部として、前記移動局が前記睡眠時間区間の間に複数のレンジング過程を行うように前記移動局に伝送される基地局と睡眠モード移動局との間のレンジング遂行方法。
【発明の詳細な説明】
【技術分野】
【０００１】
本発明は、一般的に無線接続システムに関するもので、より具体的に、無線接続システムの睡眠モード移動局に関するものである。
【背景技術】
【０００２】
無線接続システムは、電力消耗を最小化するために移動局に睡眠モードを支援する。睡眠モードの移動局は、特定の割合で増加する睡眠区間によって動作する。前記睡眠区間は、聴取ウィンドウ（例えば、聴取区間）及び睡眠ウィンドウ（例えば、睡眠区間）を含む。
【０００３】
前記聴取区間は、睡眠要請メッセージ及び睡眠応答メッセージによって固定される。前記聴取区間の間、移動局は、基地局（ＢＳ）から伝達された放送形態のＭＡＣ管理メッセージ（例えば、ＭＯＢ-ＴＲＦ-ＩＮＤ）を通して、前記移動局にダウンリンクトラフィックが伝送されているかどうかに対する指示を受信する。また、前記移動局は、アップリンク通信維持及び信号品質による適切なダウンリンクコーディングタイプ維持のためのレンジング遂行可否に対する指示を受信する。
【０００４】
前記睡眠区間は、電力消耗を減少させるために、前記移動局が基地局から最小限のダウンリンク信号のみを受信する期間である。前記睡眠区間の間、前記移動局は、ハンドオーバーのための周辺基地局を検索し、アップリンク通信維持及び信号品質による適切なダウンリンクコーディングタイプ維持のためのレンジングを行う。
【０００５】
前記睡眠モードの動作は、移動局と基地局との間の睡眠要請（例えば、ＭＯＢ-ＳＬＰ-ＲＥＱ）メッセージ、睡眠応答（例えば、ＭＯＢ-ＳＬＰ-ＲＳＰ）メッセージ、または放送形態のダウンリンクトラフィック指示（例えば、ＭＯＢ-ＴＲＦ-ＩＮＤ）メッセージなどのＭＡＣ管理メッセージの伝送及び送信を含む。
【０００６】
図１は、移動局からサービング基地局への睡眠モード要請のために伝送される睡眠要請メッセージの一例を示す。
【０００７】
図１を参照すると、前記ＭＯＢ-ＳＬＰ-ＲＥＱメッセージは、前記睡眠モード動作のために用いられるＭＡＣ管理メッセージのタイプであり、睡眠区間及び聴取区間を含む。
【０００８】
図２は、前記サービング基地局から前記移動局に伝送される睡眠応答メッセージの一例を示す。
【０００９】
図２を参照すると、前記ＭＯＢ-ＳＬＰ-ＲＥＱメッセージは、睡眠モードの承認可否、睡眠区間、聴取区間、または睡眠ＩＤなどの睡眠モードと関連した情報を含む。
【００１０】
図３は、特定の区間で前記移動局に伝送される放送形態のトラフィック指示メッセージの一例を示す。
【００１１】
図３を参照すると、前記睡眠モード移動局は、聴取区間の間に前記ＭＯＢ-ＴＲＦ-ＩＮＤメッセージを受信した後、前記睡眠モードを維持するか、前記睡眠モードを終結してダウンリンクデータを受信するか、または、睡眠区間の間にレンジングを行うかを決定する。
【００１２】
図４は、前記睡眠モードの動作を示す信号フローチャートである。
【００１３】
図４に示すように、移動局は、睡眠要請（例えば、ＭＯＢ-ＳＬＰ-ＲＥＱ）メッセージを生成する。前記睡眠要請メッセージは、最初睡眠区間（例えば、最初睡眠ウィンドウ）、最終睡眠区間（例えば、最終睡眠ウィンドウ）及び聴取区間に対する値を含む。そして、前記移動局は、睡眠モードへの転換を要請するために、前記ＭＯＢ-ＳＬＰ-ＲＥＱメッセージを基地局に伝送する。前記基地局は、前記最初睡眠区間、前記最終睡眠区間、前記聴取区間及び転換開始フレームが設定され、前記睡眠モードへの転換を承認する睡眠応答（例えば、ＭＯＢ-ＳＬＰ-ＲＳＰ）メッセージを前記移動局に伝送する。
【００１４】
睡眠モード転換開始時間（例えば、Ｍ）に到達すると、前記移動局は、前記最初睡眠区間（例えば、Ｎ１  ｆｒａｍｅ）の間に睡眠モードを維持する。そして、前記最初睡眠区間の終了後、前記移動局は、聴取区間（例えば、Ｌ’）の間に前記基地局からトラフィック指示メッセージ（例えば、ＭＯＢ-ＴＲＦ-ＩＮＤ）を受信する。前記移動局にダウンリンクトラフィックが伝送されない場合（例えば、否定指示）、前記移動局は、前記最初睡眠区間（例えば、Ｎ１）の２倍の区間（２＊Ｎ１）の間に睡眠モードを維持する。
【００１５】
前記睡眠区間は、上述した公式によって継続的に増加し、前記後続睡眠区間は、前記以前睡眠区間の２倍ほどに設定される。前記睡眠区間が前記最終睡眠区間（例えば、Ｎ２）になると、前記移動局は、前記最終睡眠区間を前記後続睡眠区間として繰り返して用いる。前記最終睡眠区間（例えば、睡眠ウィンドウ）は、図２に示した各パラメーターによって以下のように設定される。
【００１６】
最終睡眠ウィンドウ＝最終睡眠ウィンドウ＊２最終睡眠ウィンドウ
その反面、前記聴取区間の間、前記移動局が、トラフィック指示メッセージ（例えば、ＭＯＢ−ＴＲＦ−ＩＮＤ）を通して、前記移動局に伝送されるダウンリンクトラフィックがあるとの通知を受けると（例えば、肯定指示）、前記移動局は、前記睡眠モードを終結し、一般モードで前記ダウンリンクトラフィックを受信する（例えば、正常モード）。さらに、前記睡眠モード移動局からレンジング要請メッセージ（例えば、ＲＮＧ−ＲＥＱ）を除いたアップリンクデータを受信するとき、前記基地局は、前記移動局が前記睡眠モードを終結すべきかどうかに対する決定をする。
【００１７】
所定周期の間、特定の移動局からアップリンク信号がないとき（例えば、Ｔ２７タイマーの遂行時間）、前記基地局は、前記移動局にアップリンクスロットを割り当てることで、前記移動局がアップリンク同期（例えば、時間、周波数及びアップリンク伝送電力）及び信号品質による適切なコーディング率を維持するためのレンジング要請メッセージを前記基地局に伝送することを許容する。前記レンジング要請メッセージを受信した前記基地局は、レンジング応答メッセージで前記アップリンク同期を維持するための補償値を設定し、前記レンジング応答メッセージを前記移動局に伝送する。
【００１８】
図５は、睡眠モード移動局の周期的レンジングを示している。
【００１９】
図５を参照すると、前記基地局は、放送形態のトラフィック指示メッセージ（例えば、ＭＯＢ−ＴＲＦ−ＩＮＤ）にレンジング動作時間（例えば、レンジングオフセット）及び前記レンジングの遂行可否に対する情報を設定し、前記ＭＯＢ−ＴＲＦ−ＩＮＤメッセージを前記睡眠モード移動局に伝送する。前記睡眠モード移動局は、聴取区間の間に前記ＭＯＢ−ＴＲＦ−ＩＮＤメッセージを受信する。
【００２０】
その後、前記レンジング時間になると、前記移動局は、レンジング要請メッセージ（例えば、ＲＮＧ−ＲＥＱ）を、前記割り当てられたアップリンクスロットを用いて前記基地局に伝送し、前記基地局は、レンジング応答メッセージ（例えば、ＲＮＧ−ＲＳＰ）を前記移動局に伝送する。前記基地局は、周期的ＲＮＧ−ＲＥＱのためのアップリンクリンク帯域幅を割り当てる。したがって、前記移動局は、前記レンジング応答メッセージ（ＲＮＧ−ＲＳＰ）を受信し、前記基地局との前記アップリンク同期を調整し、前記睡眠モードを維持する。
【００２１】
睡眠区間の間、前記睡眠モード移動局が周期的なレンジングを行う必要があると、前記基地局は、レンジング動作時間及び前記レンジングの遂行可否を放送形態のＭＯＢ−ＴＲＦ−ＩＮＤメッセージに設定し、前記ＭＯＢ−ＴＲＦ−ＩＮＤメッセージを前記移動局に伝送する。その後、前記聴取期間の間に受信された前記ＭＯＢ−ＴＲＦ−ＩＮＤメッセージからダウンリンクトラフィックがあるか、または、レンジング動作がないことを認識するとき、前記移動局は、現在の睡眠区間の２倍程度の睡眠期間の間に睡眠モードを維持する。
【００２２】
図６は、トラフィック指示メッセージにおける睡眠ＩＤ（ＳＬＰＩＤ）ビットマップと睡眠ＩＤとの関係を示す。
【００２３】
図６を参照すると、前記ＭＯＢ−ＴＲＦ−ＩＮＤメッセージの形式は、図３と同一である。
【００２４】
例えば、前記ＭＯＢ−ＴＲＦ−ＩＮＤのＳＬＰＩＤビットマップが図６に示す通りであると仮定すると、周期的なレンジングを行うように指示されたＳＬＰＩＤ移動局は、次の通りである。周期的なレンジングを行う移動局の数が７であると仮定した場合、各移動局のレンジング時間（例えば、レンジングフレームオフセット）は、次のように設定される。
【００２５】
レンジングフレームオフセット１：ＳＬＰＩＤ２のフレームオフセット
レンジングフレームオフセット２：ＳＬＰＩＤ８のフレームオフセット
レンジングフレームオフセット３：ＳＬＰＩＤ９のフレームオフセット
レンジングフレームオフセット４：ＳＬＰＩＤ１２のフレームオフセット
レンジングフレームオフセット５：ＳＬＰＩＤ１５のフレームオフセット
レンジングフレームオフセット６：ＳＬＰＩＤ１８のフレームオフセット
レンジングフレームオフセット７：ＳＬＰＩＤ２０のフレームオフセット。
【００２６】
したがって、一つの移動局は、聴取区間後、前記後続睡眠区間の間に周期的レンジングを一回のみ行う。前記ＳＬＰＩＤビットマップは、前記レンジング遂行可否を表示する反面、レンジングが行われる回数は示していないので、前記一つの移動局によって一週期のみのレンジングが行われる。
【００２７】
前記従来技術において、前記基地局は、特定のタイマー（例えば、Ｔ２７）を用いて周期的レンジングを行う。前記基地局が、前記タイマーの満了前に特定の移動局からアップリンク信号を受信しない場合、前記基地局は、移動局が前記基地局にレンジング要請メッセージを伝送して前記レンジング動作を行うように、アップリンクスロットを前記移動局に割り当てる。前記基地局が前記相応するタイマーの満了前に前記特定の移動局から前記アップリンク信号を受信する場合、前記タイマーは再設定される。上述したように、前記睡眠モードの睡眠区間は、最初睡眠区間から最終睡眠区間までに指数的に増加する。前記最終睡眠区間（例えば、睡眠ウィンドウ）は、既に設定された公式を通して定められる。
【００２８】
図７は、周期的レンジング周期と睡眠区間との関係を示す。
【００２９】
図７を参照すると、一つの睡眠区間が一周期のレンジングサイクルより長い場合、前記移動局は、相応する睡眠区間の間、２回またはそれ以上の周期的レンジングを行うように要請される。
【発明の開示】
【発明が解決しようとする課題】
【００３０】
しかしながら、前記従来技術においては、睡眠区間の間、一つの移動局に対して周期的レンジングが一回以上行われなく、前記睡眠モード間、周期的レンジングが提供されないことから、問題が引き起こされた。
【００３１】
本発明は、前記従来技術の一つ以上の問題点を実質的に解決するための無線接続システムの周期的レンジング方法に関するものである。
【００３２】
本発明の目的は、一つの睡眠区間の間、複数の周期的レンジング動作を行うことにある。
【課題を解決するための手段】
【００３３】
上記目的を達成するための本発明の一実施例は、 無線接続システムで基地局と睡眠モード移動局との間のレンジング過程を行う方法において、前記基地局は、睡眠時間区間及び前記移動局が前記レンジング過程を行うための期間の間に発生する周期的レンジング時間に対する最初通知を前記移動局に提供し、前記最初通知を含む前記第１メッセージは、前記移動局がダウンリンクデータを受信するために睡眠モードを終結するかどうかを指示し、前記基地局は、前記移動局に前記睡眠時間区間の間に発生する周期的なレンジング時間に対する後続通知を提供し、前記後続通知を指示した前記第２メッセージは、前記レンジング過程の一部として、前記移動局が前記睡眠時間区間の間に複数のレンジング過程を行うように前記移動局に伝送される。
【００３４】
前記第１メッセージは、トラフィック指示メッセージであり、前記第２メッセージは、レンジング応答メッセージであることが好ましい。前記第２メッセージに含まれた周期的レンジング時間に対する前記後続通知は、ＴＬＶ（Ｔｙｐｅ  Ｌｅｎｇｔｈ  Ｖａｌｕｅ）形態を含む。前記第１メッセージの周期的レンジング時間の前記最初通知は、ＴＬＶ形態を含む。前記第２メッセージは、前記移動局がダウンリンクデータを受信するために睡眠モードを終結するかどうかに対する指示を含む。前記移動局がダウンリンクデータを受信するために睡眠モードを終結するかどうかに対する指示は、ＴＬＶ形態を含む。
【００３５】
また、他の実施例として、無線接続システムで基地局と睡眠モード移動局との間のレンジング過程を行うための方法は、前記移動局で、前記移動局が睡眠モードを維持する間に睡眠時間区間を設定する段階を含む。また、前記方法は、前記基地局で、前記移動局がダウンリンクデータを受信するために睡眠モードを終結するかどうかを指示し、前記移動局が前記レンジング過程を行う間、最初周期的レンジング時間を指示する第１メッセージを既に設定された聴取時間に前記移動局に伝送する段階を含む。また、前記方法は、前記移動局で、前記指示された最初周期的レンジング時間に前記レンジング過程を行う段階を含む。また、前記方法は、前記基地局で、前記レンジング過程を行うのに必要な情報を含み、後続の周期的レンジング時間が前記睡眠時間区間の間に発生するように決定された場合、前記後続の周期的レンジング時間をさらに指示する第２メッセージを、前記レンジング過程を行う前記移動局に応答して前記移動局に伝送する段階を含む。
【００３６】
また、他の実施例として、無線接続システムで基地局と睡眠モード移動局との間のレンジング過程を行うための方法は、前記移動局がダウンリンクデータを受信するために睡眠モードを終結するかどうかを指示し、前記移動局が前記レンジング過程を行う間、最初周期的レンジング時間を指示する第１メッセージを、睡眠時間区間の間の既に設定された聴取時間に前記移動局に伝送する段階を含む。また、前記方法は、前記レンジング過程を行う前記移動局に対して、前記睡眠時間区間の間に後続の周期的レンジング時間が発生するかどうかを決定する段階を含む。また、前記方法は、前記レンジング過程を行うために必要な情報を含み、前記後続の周期的レンジング時間が前記睡眠時間区間の間に発生するように決定された場合、前記後続の周期的レンジング時間をさらに指示する第２メッセージを、前記移動局に伝送する段階を含む。
【００３７】
また、他の実施例として、無線通信システムで基地局と睡眠モードの移動局との間のレンジング過程を行うための方法は、睡眠時間区間の間に睡眠モードを設定して維持する段階を含む。また、前記方法は、ダウンリンクデータを受信するために睡眠モードを終結するかどうかに対して指示し、最初周期的レンジング時間を指示する第１メッセージを既に設定された聴取時間に受信する段階を含む。また、前記方法は、前記レンジング過程を前記指示された最初周期的レンジング時間に行う段階を含む。また、前記方法は、前記レンジング過程を行うのに必要な情報を含み、後続の周期的レンジング時間を指示する第２メッセージを受信する段階を含む。また、前記方法は、前記後続の周期的レンジング時間に前記レンジング過程を行う段階を含む。
【００３８】
また、他の実施例として、無線接続システムで基地局と睡眠モード移動局との間のレンジング過程を行う方法において、前記基地局は、睡眠時間区間及び前記移動局が前記レンジング過程を行うための期間の間に発生した周期的レンジング時間に対する最初通知を前記移動局に提供し、前記最初通知を含む第１メッセージは、前記移動局が睡眠モードを開始するかどうかを指示し、前記基地局は、前記移動局に前記睡眠時間区間の間に発生する周期的レンジング時間に対する後続通知を提供し、前記後続通知を指示した前記第２メッセージは、前記レンジング過程の一部として、前記移動局が前記睡眠時間区間の間に複数のレンジング過程を行うように前記移動局に伝送される。
【００３９】
本発明の他の目的、特徴、様相及び長所は、添付の図面と、本発明の詳細な説明によって一層明確になるだろう。上述した一般的な説明及び後述する本発明の詳細な説明は、例示的かつ説明的であり、請求された発明に対する追加的な説明を提供する。
【発明の効果】
【００４０】
本発明は、移動インターネット、広帯域無線接続システムまたは移動通信システムなどの無線通信システムに適用されうる。
【発明を実施するための最良の形態】
【００４１】
添付の図面に示された参照は、本発明の実施例によって具体化された。図面を通して用いられる同一の参照番号は、同一部分または類似した部分を示す。
【００４２】
本発明によると、睡眠区間がレンジング周期より大きい場合、睡眠モード移動局（ＭＳ）が一つの睡眠区間の間に一回以上の周期的レンジングを行えるようになる。したがって、多様なレンジング方法が論議される。
【００４３】
第一のレンジング方法で、基地局は、レンジング応答メッセージ（例えば、ＲＮＧ−ＲＳＰ）を通して、後続のレンジング時間（例えば、レンジングオフセット）を移動局に通知する。第二のレンジング方法で、基地局は、睡眠モードに転換された後、最初に行われた周期的レンジング時間を睡眠応答メッセージ（例えば、ＭＯＢ−ＳＬＰ−ＲＳＰ）を通して移動局に通知し、後続の周期的レンジング時間をレンジング応答メッセージ（例えば、ＲＮＧ−ＲＳＰ）を通して前記移動局に通知する。第三のレンジング方法で、基地局は、移動局の最初周期的レンジング時間と後続レンジング周期を、睡眠応答メッセージ（例えば、ＭＯＢ−ＳＬＰ−ＲＳＰ）を通して睡眠モードに転換した前記移動局に通知する。
【００４４】
前記第一のレンジング方法は、一つの睡眠区間の間、複数の周期的レンジング動作を行う必要がある移動局に適用される。前記移動局は、トラフィック指示メッセージ（例えば、ＭＯＢ−ＴＲＦ−ＩＮＤ）を通して睡眠区間の間に前記最初の周期的レンジング時間の通知を受け、レンジング応答メッセージ（例えば、ＲＮＧ−ＲＳＰ）を通して前記後続の周期的レンジング時間の通知を受ける。
【００４５】
前記第二のレンジング方法は、睡眠モード移動局が、睡眠区間と関係なしに周期的レンジングを行えるようにする。前記第一の方法と異なって、前記移動局は、睡眠モードに転換された後、ＭＯＢ−ＴＲＦ−ＩＮＤメッセージでない睡眠応答メッセージ（例えば、ＭＯＢ−ＳＬＰ−ＲＳＰ）を通して前記最初の周期的レンジング時間の通知を受ける。
【００４６】
前記第三のレンジング方法で、前記移動局は、睡眠応答メッセージ（例えば、ＭＯＢ−ＳＬＰ−ＲＳＰ）を通してレンジング周期の通知を受ける。したがって、前記第三のレンジング方法は、前記移動局が前記レンジング周期を周期的レンジング応答メッセージ（例えば、ＲＮＧ−ＲＳＰ）でない睡眠応答メッセージを通して受ける点で、前記第一及び第二のレンジング方法と区別される。前記第二及び第三のレンジング方法が用いられるとき、睡眠モードの動作に必要な放送形態のトラフィック指示メッセージＭＯＢ−ＴＲＦ−ＩＮＤは、周期的レンジング機能と関連した部分を除くことができる。
【００４７】
図８は、本発明の一実施例に係る、レンジング応答メッセージで前記後続のレンジング時間を伝達する一例を示す。図９は、本発明の一実施例に係る、睡眠応答メッセージを通した前記移動局の周期的レンジング周期及び最初レンジング時間通知の一例を示す。前記第一及び第二のレンジング方法で、前記後続の周期的レンジング時間は、図８に示したＴＬＶ（Ｔｙｐｅ  ｌｅｎｇｔｈ  ｖａｌｕｅ）形態でレンジング応答メッセージ（例えば、ＲＮＧ−ＲＳＰ）に含まれる。前記第三のレンジング方法で、前記最初周期的レンジング時間及び前記後続レンジング周期は、図９に示すように、睡眠応答メッセージ（例えば、ＭＯＢ−ＳＬＰ−ＲＳＰ）に含まれる。さらに、前記第二のレンジング方法は、周期的レンジング周期を除いた図９の前記睡眠応答メッセージを用いることができる。
【００４８】
以下、本発明の一実施例に係る睡眠モード移動局の周期的レンジング方法を詳細に説明する。
【００４９】
図１０は、本発明の一実施例に係る睡眠モード移動局の周期的レンジング方法を示す。一層詳しく説明すると、図１０は、前記睡眠モード移動局が一つの睡眠区間の間に複数の周期的レンジング動作を行える前記第一のレンジング方法の例を示す。
【００５０】
図１０を参照すると、移動局は、聴取区間の間に基地局から伝達されるトラフィック指示メッセージ（例えば、ＭＯＢ−ＴＲＦ−ＩＮＤ）を受信する。前記基地局は、睡眠区間の間に周期的レンジングを行うべき移動局に、レンジングフレームオフセットによってレンジング時間（例えば、時点）を前記ＭＯＢ−ＴＲＦ−ＩＮＤメッセージを通して通知する。前記移動局が前記睡眠モードを維持する間、レンジング開始時間（例えば、レンジングフレームオフセット）になると、前記基地局によって割り当てられたアップリンクスロットを通して、前記移動局は前記基地局にレンジング要請メッセージ（例えば、ＲＮＧ−ＲＥＱ）を伝送する。
【００５１】
前記基地局は、前記ＲＮＧ−ＲＥＱメッセージを伝送した前記移動局の後続周期的レンジング時間が現在の睡眠区間内にあるかどうかを確認する。前記後続周期的レンジング時間が前記現在の睡眠区間内にある場合、前記基地局は、レンジング応答メッセージ（例えば、ＲＮＧ−ＲＳＰ）に前記後続レンジング時間を含ませ、前記ＲＮＧ−ＲＳＰメッセージを前記移動局に伝達する。前記レンジング応答メッセージ（例えば、ＲＮＧ−ＲＳＰ）を通して前記後続レンジング時間を受信した前記移動局は、前記睡眠モードを維持する。前記後続レンジング時間になったとき、前記移動局は、前記基地局によって割り当てられたアップリンクスロットを通して前記ＲＮＧ−ＲＳＰメッセージを伝送する。
【００５２】
前記基地局は、前記ＲＮＧ−ＲＥＱメッセージを伝送した移動局の前記後続周期的レンジング時間が現在の睡眠区間内にあるかどうかを確認する。前記後続周期的レンジング時間が前記現在の睡眠区間内にない場合、前記基地局は、前記レンジング応答メッセージ内に前記後続レンジング時間を含ませず、前記ＲＮＧ−ＲＳＰメッセージを前記移動局に伝送する。
【００５３】
したがって、前記後続レンジング時点を含まない前記ＲＮＧ−ＲＳＰメッセージを受信すると、前記移動局は、睡眠区間の間に前記睡眠モードを維持する。聴取区間に到達したとき、前記移動局は、前記基地局から前記移動局に伝送されるダウンリンクトラフィックがあるか、または、前記睡眠区間の間にレンジングを行うべきであるかに対する情報を含むトラフィック指示メッセージを受信する。
【００５４】
レンジング要請メッセージ（例えば、ＲＮＧ−ＲＥＱ）、ダウンリンクバーストプロファイル変更要請（例えば、ＤＢＰＣ−ＲＥＱ）、または、睡眠区間の間に前記移動局からの周期的レンジングを除いた他のアップリンクメッセージを受信すると、前記基地局は、周期的レンジングタイマー（例えば、Ｔ２７）を更新する。後続の周期的レンジング時間が前記相応する睡眠区間内にある場合、前記基地局は、前記ＲＮＧ−ＲＳＰメッセージまたは前記ＤＢＰＣ−ＲＳＰメッセージに前記後続の周期的レンジング時間を含ませ、前記メッセージを前記移動局に伝達する。
【００５５】
図１１は、本発明の更に他の実施例に係る睡眠モード移動局の周期的レンジング方法を示す。より詳細に、図１１は、一つの睡眠区間の間に複数の周期的レンジング動作を行える前記睡眠モード移動局の第二のレンジング方法を示す。
【００５６】
図１１を参照すると、前記移動局は、睡眠モードへの転換を要請するために睡眠要請メッセージ（例えば、ＭＯＢ−ＳＬＰ−ＲＥＱ）を基地局に伝送する。前記基地局は、前記睡眠モードに転換した後、最初周期的レンジング時間を睡眠応答メッセージ（例えば、ＭＯＢ−ＳＬＰ−ＲＳＰ）に含ませ、前記移動局に前記メッセージを伝送する。
【００５７】
前記移動局は、ダウンリンクトラフィックが前記移動局に伝送されているかどうかを確認するために、アルゴリズムによって睡眠区間を徐々に増加させ、聴取区間の間にトラフィック指示メッセージを受信する。前記最初周期的レンジング時間に到達すると、前記移動局は、前記基地局によって割り当てられたアップリンクスロットを通してレンジング要請メッセージを前記基地局に伝送する。
【００５８】
前記ＲＮＧ−ＲＥＱメッセージを受信した前記基地局は、レンジング応答メッセージ（例えば、ＲＮＧ−ＲＳＰ）に前記後続の周期的レンジング時点を含ませ、前記メッセージを前記移動局に伝送する。前記ＲＮＧ−ＲＳＰメッセージを通して前記後続の周期的レンジング時間を受信する前記移動局は、前記該当の時間になると、前記基地局から割り当てられたアップリンクスロットを通してレンジング要請メッセージ（例えば、ＲＮＧ−ＲＥＱ）を伝送する。
【００５９】
前記基地局は、レンジング要請メッセージ（例えば、ＲＮＧ−ＲＥＱ）、ダウンリンクバーストプロファイル変更要請メッセージ（例えば、ＤＢＰＣ−ＲＥＱ）、または、前記睡眠モード移動局から周期的レンジングを除いた他のアップリンクメッセージを受信すると、周期的レンジングタイマーを更新し、レンジング応答メッセージまたはダウンリンクバーストプロファイル変更要請メッセージに後続の周期的レンジング時間を含ませ、前記メッセージを前記移動局に伝送する。
【００６０】
前記第二のレンジング方法で、前記レンジングの遂行可否に関する情報は、トラフィック指示メッセージ（例えば、ＭＯＢ−ＴＲＦ−ＩＮＤ）を通して伝送されない。その代りに、睡眠モード移動局は、睡眠区間と関係なしに、前記レンジング応答メッセージを通して前記後続の周期的レンジング時間を受信する。
【００６１】
図１２は、本発明の更に他の実施例に係る睡眠モード移動局の周期的レンジング方法を示す。より詳細に、図１２は、前記睡眠モード移動局が一つの睡眠区間の間に複数の周期的レンジング動作を行えるようにする、前記第三のレンジング方法の例を示している。
【００６２】
図１２を参照すると、前記移動局は、睡眠モードへの転換を要請するために睡眠要請メッセージ（例えば、ＭＯＢ−ＳＬＰ−ＲＥＱ）を基地局に伝送する。前記基地局は、睡眠応答メッセージに、前記睡眠モードに転換後の最初周期的レンジング時間及び周期的レンジング周期を含ませて移動局に伝送する。
【００６３】
前記移動局は、アルゴリズムによって睡眠区間を徐々に増加させ、聴取区間の間にトラフィック指示メッセージ（例えば、ＭＯＢ−ＴＲＦ−ＩＮＤ）を受信し、前記移動局に伝送されたダウンリンクトラフィックがあるかどうかを確認する。前記最初周期的レンジング時間になると、前記移動局は、前記基地局から割り当てられたアップリンクスロットを通してレンジング要請メッセージを伝送する。
【００６４】
前記レンジング要請メッセージ（例えば、ＲＮＧ−ＲＥＱ）を受信した前記基地局は、前記移動局にレンジング応答メッセージ（例えば、ＲＮＧ−ＲＳＰ）を伝送する。前記周期的レンジング周期が含まれた前記睡眠応答メッセージ（例えば、ＭＯＢ−ＳＬＰ−ＲＳＰ）が到達すると、前記移動局は、レンジング要請メッセージ（例えば、ＲＮＧ−ＲＥＱ）を、前記基地局から割り当てられたアップリンクスロットを通して伝送する。前記レンジング要請メッセージ（例えば、ＲＮＧ−ＲＥＱ）を受信した前記基地局は、レンジング要請メッセージを前記移動局に伝送する。その後、睡眠モードを維持する間、前記移動局は、反復的に前記レンジング要請メッセージ（例えば、ＲＮＧ−ＲＥＱ）及び前記レンジング応答メッセージ（例えば、ＲＮＧ−ＲＳＰ）を伝送及び受信する。
【００６５】
図１３は、本発明の一実施例において、周期的レンジング過程で睡眠区間の間に前記睡眠モード移動局に伝送されるダウンリンクトラフィックが発生すると、前記移動局に周期的レンジング応答メッセージを通して通知する例を示す。従来技術では、睡眠区間の間にダウンリンクトラフィックが発生すると、移動局は、相応する睡眠区間の満了後、聴取区間の間に伝送されたトラフィック指示メッセージ（例えば、ＭＯＢ−ＴＲＦ−ＩＮＤ）を通して前記ダウンリンクトラフィック発生の通知を受ける。しかし、前記睡眠区間が過度に長い場合、データ損失を避けるために、前記基地局が長時間の間ダウンリンクデータのバッファリングを行うべきであるという問題点があった。
【００６６】
したがって、第四のレンジング方法で、移動局が前記睡眠区間の間に周期的レンジングを行うとき、前記基地局は、レンジング応答メッセージを通して前記ダウンリンクトラフィックの発生を前記移動局に通知し、前記移動局は、前記睡眠区間で睡眠モードを終了し、データを受信する。レンジング応答メッセージを設定する一例として、ダウンリンクトラフィックの発生を指示するためにレンジングオフセットＴＬＶの値を０に設定することができる。
【００６７】
本発明の一実施例として、無線接続システムで基地局と睡眠モード移動局との間のレンジング過程を行う方法において、前記基地局は、睡眠時間区間及び前記移動局が前記レンジング過程を行うための期間の間に発生する周期的レンジング時間に対する最初通知を前記移動局に提供し、前記最初通知を含む前記第１メッセージは、前記移動局がダウンリンクデータを受信するために睡眠モードを終結するかどうかを指示し、前記基地局は、前記移動局に、前記睡眠時間区間の間に発生する周期的なレンジング時間に対する後続通知を提供し、前記後続通知を指示した前記第２メッセージは、前記レンジング過程の一部として、前記移動局が前記睡眠時間区間の間に複数のレンジング過程を行うように前記移動局に伝送される。
【００６８】
前記第１メッセージは、トラフィック指示メッセージであり、前記第２メッセージは、レンジング応答メッセージであることが好ましい。前記第２メッセージに含まれた周期的レンジング時間に対する前記後続通知は、ＴＬＶ形態を含む。前記第１メッセージの周期的レンジング時間の前記最初通知は、ＴＬＶ形態を含む。前記第２メッセージは、前記移動局がダウンリンクデータを受信するために睡眠モードを終結するかどうかに対する指示を含む。前記移動局がダウンリンクデータを受信するために睡眠モードを終結するかどうかに対する指示は、ＴＬＶ形態を含む。
【００６９】
更に他の実施例として、無線接続システムで基地局と睡眠モード移動局との間のレンジング過程を行うための方法は、前記移動局で、前記移動局が睡眠モードを維持する間に睡眠時間区間を設定する段階を含む。また、前記方法は、前記基地局で、前記移動局がダウンリンクデータを受信するために睡眠モードを終結するかどうかを指示し、前記移動局が前記レンジング過程を行う間、最初周期的レンジング時間を指示する第１メッセージを既に設定された聴取時間に前記移動局に伝送する段階を含む。また、前記方法は、前記移動局で、前記指示された最初周期的レンジング時間に前記レンジング過程を行う段階を含む。また、前記方法は、前記基地局で、前記レンジング過程を行うのに必要な情報を含み、後続の周期的レンジング時間が前記睡眠時間区間の間に発生するように決定された場合、前記後続の周期的レンジング時間をさらに指示する第２メッセージを、前記レンジング過程を行う前記移動局に応答して前記移動局に伝送する段階を含む。
【００７０】
更に他の実施例として、無線接続システムで基地局と睡眠モード移動局との間のレンジング過程を行うための方法は、前記移動局がダウンリンクデータを受信するために睡眠モードを終結するかどうかを指示し、前記移動局が前記レンジング過程を行う間に最初周期的レンジング時間を指示する第１メッセージを、睡眠時間区間の間の既に設定された聴取時間に前記移動局に伝送する段階を含む。また、前記方法は、前記レンジング過程を行う前記移動局に対して、前記睡眠時間区間の間に後続の周期的レンジング時間が起きるかどうかを決定する段階を含む。また、前記方法は、前記レンジング過程を行うために必要な情報を含み、前記後続の周期的レンジング時間が前記睡眠時間区間の間に発生するように決定された場合、前記後続の周期的レンジング時間をさらに指示する第２メッセージを、前記移動局に伝送する段階を含む。
【００７１】
更に他の実施例として、無線通信システムで基地局と睡眠モード移動局との間のレンジング過程を行うための方法は、睡眠時間区間の間に睡眠モードを設定して維持する段階を含む。また、前記方法は、ダウンリンクデータを受信するために睡眠モードを終結するかどうかに対して指示し、最初周期的レンジング時間を指示する第１メッセージを、既に設定された聴取時間に受信する段階を含む。また、前記方法は、前記レンジング過程を前記指示された最初周期的レンジング時間に行う段階を含む。また、前記方法は、前記レンジング過程を行うのに必要な情報を含み、後続の周期的レンジング時間を指示する第２メッセージを受信する段階を含む。また、前記方法は、前記後続の周期的レンジング時間に前記レンジング過程を行う段階を含む。
【００７２】
更に他の実施例として、無線接続システムで基地局と睡眠モード移動局との間のレンジング過程を行う方法において、前記基地局は、睡眠時間区間及び前記移動局が前記レンジング過程を行うための期間の間に発生した周期的レンジング時間に対する最初通知を前記移動局に提供し、前記最初通知を含む第１メッセージは、前記移動局が睡眠モードを開始するかどうかを指示し、前記基地局は、前記移動局に前記睡眠時間区間の間に発生する周期的レンジング時間に対する後続通知を提供し、前記後続通知を指示した前記第２メッセージは、前記レンジング過程の一部として、前記移動局が前記睡眠時間区間の間に複数のレンジング過程を行うように前記移動局に伝送される。
【００７３】
さらに、前記本発明の好適な実施例に係る睡眠モード移動局のための前記レンジング方法は、前記周期的レンジングだけでなく、基地局が前記移動局の有効性を検査する方法としても用いられる。特に、前記方法は、前記基地局が前記移動局にレンジングを行い、前記移動局からレンジング要請メッセージを受信することで、前記移動局に対する有効性を更新する方法としても適用される。
【００７４】
本発明によると、睡眠モード移動局が睡眠区間と関係なしに周期的レンジングを行うことができる。特に、一つのレンジング方法は、前記従来技術のように、前記睡眠モード移動局が前記睡眠モードを維持しながら周期的レンジングを行えるという長所がある。他のレンジング方法は、睡眠モード動作に要求される放送形態のトラフィック指示メッセージで周期的レンジング機能と関連した部分を除くことで、前記睡眠モード移動局に伝送されるトラフィック指示メッセージの長さを減少させるとともに、トラフィック指示メッセージ伝送に要求される無線資源も減少させることができる。
【００７５】
本発明が前記思想や領域から逸脱しない範囲で多様に変形及び変化できることは、当業者にとって明らかである。したがって、本発明は、添付の特許請求の範囲及び均等の範囲で提供された前記変形及び変化を含む。
【図面の簡単な説明】
【００７６】
【図１】移動局からサービング基地局に睡眠モード要請のために伝送される睡眠要請メッセージの一例を示す。
【図２】前記サービング基地局から前記移動局に伝送される睡眠応答メッセージの一例を示す。
【図３】特定の区間で前記移動局に伝送される放送形態のトラフィック指示メッセージの一例を示す。
【図４】前記睡眠モードの動作を示す信号フローチャートである。
【図５】睡眠モード移動局の周期的レンジングを示す。
【図６】トラフィック指示メッセージにおける睡眠ＩＤビットマップと睡眠ＩＤとの関係を示す。
【図７】周期的レンジング周期と睡眠区間との関係を示す。
【図８】本発明の一実施例に係る、レンジング応答メッセージで前記後続レンジング時間を伝達する一例を示す。
【図９】本発明の一実施例に係る、睡眠応答メッセージを通した前記移動局の周期的レンジング周期及び最初レンジング時間通知の一例を示す。
【図１０】本発明の一実施例に係る睡眠モード移動局の周期的レンジング方法を示す。
【図１１】本発明の他の実施例に係る睡眠モード移動局の周期的レンジング方法を示す。
【図１２】本発明の更に他の実施例に係る睡眠モード移動局の周期的レンジング方法を示す。
【図１３】本発明の一実施例において、周期的レンジング過程で、睡眠区間の間に前記睡眠モード移動局に伝送されるダウンリンクトラフィックが発生すると、前記移動局に周期的レンジング応答メッセージを通して通知する例を示す。
【図１】
2008509624.tif 000003
【図２】
2008509624.tif 000004
【図３】
2008509624.tif 000005
【図４】
2008509624.tif 000006
【図５】
2008509624.tif 000007
【図６】
2008509624.tif 000008
【図７】
2008509624.tif 000009
【図８】
2008509624.tif 000010
【図９】
2008509624.tif 000011
【図１０】
2008509624.tif 000012
【図１１】
2008509624.tif 000013
【図１２】
2008509624.tif 000014
【図１３】
2008509624.tif 000015
【国際調査報告】
2008509624.tif 000016
2008509624.tif 000017
2008509624.tif 000018
2008509624.tif 000019
2008509624.tif 000020